(57)【要約】      （修正有）【課題】表示特性を向上した上で輝度の低下を抑制した電子ペーパー用のカラーフィルタを提供する。【解決手段】電子ペーパー用のカラーフィルタ１０は、透明基材１１と、透明基材上に設けられた着色層１３と、を備える。着色層１３は、マトリクス状に配置された複数の単位画素を有する。各単位画素は、第１着色エリア２０と、第２着色エリア３０と、第３着色エリア４０と、空きエリア又は白色エリア５０と、を有する。第１着色エリア１０と、第２着色エリア２０と、第３着色エリア３０と、空きエリア又は白色エリア５０とに対応する平面位置に散乱層１４が設けられている。【選択図】図１
2016118710.tif 000002
【特許請求の範囲】
【請求項１】
電子ペーパー用のカラーフィルタであって、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、空きエリア又は白色エリアと、を有し、
前記第１着色エリアと、前記第２着色エリアと、前記第３着色エリアと、前記空きエリア又は前記白色エリアとに対応する平面位置に散乱層が設けられている、ことを特徴とするカラーフィルタ。
【請求項２】
前記空きエリア又は前記白色エリアの可視光の透過率は、前記第１着色エリア、前記第２着色エリア及び前記第３着色エリアの可視光の透過率より高い、ことを特徴とする請求項１に記載のカラーフィルタ。
【請求項３】
前記白色エリアは青色顔料を含む、ことを特徴とする請求項１又は請求項２に記載のカラーフィルタ。
【請求項４】
前記白色エリアの可視光の透過率は、６０％以上である、
ことを特徴とする請求項３に記載のカラーフィルタ。
【請求項５】
前記散乱層は、前記着色層の前記透明基材と反対側に設けられている
ことを特徴とする請求項１から請求項４の何れかに記載のカラーフィルタ。
【請求項６】
前記散乱層は、前記着色層と前記透明基材との間に設けられている
ことを特徴とする請求項１から請求項４の何れかに記載のカラーフィルタ。
【請求項７】
電子ペーパー用のカラーフィルタであって、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、白色エリアと、を有し、
前記第１着色エリアと、前記第２着色エリアと、前記第３着色エリアとに対応する平面位置に散乱層が設けられ、
前記白色エリアは散乱粒子を含む、ことを特徴とするカラーフィルタ。
【請求項８】
前記白色エリアは青色顔料を含む、ことを特徴とする請求項７に記載のカラーフィルタ。
【請求項９】
前記散乱層の表面と前記白色エリアの表面は、面一になっている、ことを特徴とする請求項７又は請求項８に記載のカラーフィルタ。
【請求項１０】
電子ペーパー用のカラーフィルタであって、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、空きエリアと、を有し、
前記第１着色エリアと、前記第２着色エリアと、前記第３着色エリアと、前記空きエリアにおける前記透明基材と、を覆う散乱層が設けられている、ことを特徴とするカラーフィルタ。
【請求項１１】
請求項１から請求項１０の何れかに記載のカラーフィルタと、
前記カラーフィルタに対向するように配置された、白表示及び黒表示を行う反射型表示素子と、
を備えることを特徴とする電子ペーパー。
【発明の詳細な説明】
【技術分野】
【０００１】
本発明は、電子ペーパー用のカラーフィルタ及び電子ペーパーに関する。
【背景技術】
【０００２】
近年、フラットタイプの表示装置である電子ペーパーの開発が進められている。電子ペーパーは、周囲の光（以下、「環境光」とも言う）の反射光を制御することで、文字や画像等を表示する。このような電子ペーパーは、低消費電力である、目が疲れない、及び、直射日光下での視認性が良い等の優れた特性を有する。
【０００３】
また、カラー表示可能な電子ペーパーとして、複数色の着色層を有するカラーフィルタと、白表示および黒表示を行うことが可能な反射型表示素子と、を備えるものが知られている（例えば、特許文献１参照）。この電子ペーパーは、反射型表示素子を用いて白表示を行うことによって環境光を反射させ、反射光をカラーフィルタに透過させることによって所望のカラー画像表示を行うことができる。
【先行技術文献】
【特許文献】
【０００４】
【特許文献１】特開２００３−２８００４４号公報
【発明の概要】
【発明が解決しようとする課題】
【０００５】
電子ペーパーにおいて、紙に近い表示特性、及び、広い視野角の表示特性が望まれている。このような表示特性を実現するためには、カラーフィルタ上に散乱層を設け、反射光を散乱層で散乱させる構成が考えられる。
しかしながら、この構成では、散乱層の影響で輝度が低下してしまう。
【０００６】
本発明は、このような点を考慮してなされたものであり、表示特性を向上した上で輝度の低下を抑制できるカラーフィルタ及び電子ペーパーを提供することを目的とする。
【課題を解決するための手段】
【０００７】
本発明の一実施形態に係る電子ペーパー用のカラーフィルタは、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、空きエリア又は白色エリアと、を有し、
前記第１着色エリアと、前記第２着色エリアと、前記第３着色エリアと、前記空きエリア又は前記白色エリアとに対応する平面位置に散乱層が設けられている、ことを特徴とする。
【０００８】
上記カラーフィルタにおいて、
前記空きエリア又は前記白色エリアの可視光の透過率は、前記第１着色エリア、前記第２着色エリア及び前記第３着色エリアの可視光の透過率より高くてもよい。
【０００９】
上記カラーフィルタにおいて、
前記白色エリアは青色顔料を含んでもよい。
【００１０】
上記カラーフィルタにおいて、
前記白色エリアの可視光の透過率は、６０％以上であってもよい。
【００１１】
上記カラーフィルタにおいて、
前記散乱層は、前記着色層の前記透明基材と反対側に設けられていてもよい。
【００１２】
上記カラーフィルタにおいて、
前記散乱層は、前記着色層と前記透明基材との間に設けられていてもよい。
【００１３】
本発明の他の実施形態に係る電子ペーパー用のカラーフィルタは、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、白色エリアと、を有し、
前記第１着色エリアと、前記第２着色エリアと、前記第３着色エリアとに対応する平面位置に散乱層が設けられ、
前記白色エリアは散乱粒子を含む、ことを特徴とする。
【００１４】
上記カラーフィルタにおいて、
前記白色エリアは青色顔料を含んでもよい。
【００１５】
上記カラーフィルタにおいて、
前記散乱層の表面と前記白色エリアの表面は、面一になっていてもよい。
【００１６】
本発明の他の実施形態に係る電子ペーパー用のカラーフィルタは、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、空きエリアと、を有し、
前記第１着色エリアと、前記第２着色エリアと、前記第３着色エリアと、前記空きエリアにおける前記透明基材と、を覆う散乱層が設けられている、ことを特徴とする。
【００１７】
本発明の一実施形態に係る電子ペーパーは、
前記カラーフィルタと、
前記カラーフィルタに対向するように配置された、白表示及び黒表示を行う反射型表示素子と、
を備えることを特徴とする。
【発明の効果】
【００１８】
本発明によれば、表示特性を向上した上で輝度の低下を抑制できる。
【図面の簡単な説明】
【００１９】
【図１】第１の実施形態に係る電子ペーパーの概略構成を示す縦断面図である。
【図２】カラーフィルタを図１の矢印Ｉ方向から見た平面図である。
【図３】第３の実施形態に係るカラーフィルタの概略構成を示す縦断面図である。
【図４】第４の実施形態に係るカラーフィルタの概略構成を示す縦断面図である。
【図５】第５の実施形態に係るカラーフィルタの概略構成を示す縦断面図である。
【図６】第６の実施形態に係るカラーフィルタの概略構成を示す縦断面図である。
【発明を実施するための形態】
【００２０】
以下、図面を参照して本発明の実施の形態について説明する。なお、本明細書に添付する図面においては、図示と理解のしやすさの便宜上、適宜縮尺および縦横の寸法比等を、実物のそれらから変更し誇張してある。
【００２１】
（第１の実施形態）
まず図１を参照して、電子ペーパー１００全体について説明する。
【００２２】
電子ペーパー
図１は、第１の実施形態に係る電子ペーパー１００の概略構成を示す縦断面図である。図１に示すように、電子ペーパー１００は、電子ペーパー用のカラーフィルタ１０と、カラーフィルタ１０に対向するように配置された、白表示及び黒表示を行う反射型表示素子８０と、を備えている。
【００２３】
カラーフィルタ１０は、透明基材１１と、透明基材１１上に設けられたブラックマトリクス層（以下、ＢＭ層と称す）１２と、透明基材１１上に設けられた複数色の着色層１３と、着色層１３上に設けられた散乱層１４と、を備える。着色層１３は、第１着色エリア２０と、第２着色エリア３０と、第３着色エリア４０と、白色エリア５０と、を有する。第１着色エリア２０、第２着色エリア３０、第３着色エリア４０及び白色エリア５０のそれぞれは、１つの画素に対応する。
【００２４】
カラーフィルタ１０は、散乱層１４と反射型表示素子８０とが対向するように配置されている。従って、観察者は、透明基材１１側（ｚ方向側）から電子ペーパー１００を観察する。
【００２５】
反射型表示素子８０には、観察者側からカラーフィルタ１０を介して環境光が入射する。反射型表示素子８０は、画素毎に環境光を反射させるか否か制御可能に構成されており、環境光を反射させることにより白表示を行い、環境光を反射させないことにより黒表示を行う。従って、反射型表示素子８０は、バックライトを用いることなく文字や画像を表示することができる。なお、環境光が弱い場合に観察者側から反射型表示素子８０に光を照射するフロントライトを設けてもよい。
【００２６】
反射型表示素子８０の表示方式としては、特に限定されず、公知のものを適用することができ、例えば、電気泳動方式、ツイストボール方式、粉体移動方式（電子粉流体方式、帯電トナー型方式）、液晶表示方式、サーマル方式（発色方式、光散乱方式）、エレクトロクロミック方式、エレクトロウェッティング方式、磁気泳動方式などが挙げられる。
【００２７】
ここでは、一例としてエレクトロウェッティング方式の反射型表示素子８０について概略的に説明する。反射型表示素子８０は、白色基板８１と、白色基板８１上に設けられた複数の第１透明電極８２と、第１透明電極８２上に設けられた疎水性絶縁層８３と、疎水性絶縁層８３上に設けられた複数の画素側壁８４と、隣り合う画素側壁８４間に設けられたオイル層８５と、オイル層８５及び画素側壁８４上に設けられた透明な液体８６と、液体８６上に設けられた第２透明電極８７と、を有する。第２透明電極８７上に透明基板が設けられてもよい。
【００２８】
それぞれのオイル層８５は、対応する第１透明電極８２上に位置している。１組の第１透明電極８２とオイル層８５は、１つの画素に対応している。
【００２９】
第１透明電極８２と第２透明電極８７との間に電圧が印加されていない時には、図示するように、オイル層８５は、隣り合う画素側壁８４間の疎水性絶縁層８３を覆っている。オイル層８５は、例えば黒色に着色されているため、入射した環境光はオイル層８５において反射されず、黒表示が行われる。
【００３０】
一方、ある画素に対応する第１透明電極８２と、第２透明電極８７との間に電圧が印加された時には、図示は省略するが、この画素に対応するオイル層８５は、一方の画素側壁８４側に移動し、この画素に対応する位置の疎水性絶縁層８３には液体８６が接するようになる。これにより、この画素においては、入射した環境光は白色基板８１に到達し、白色基板８１で反射されて白表示が行われる。
【００３１】
このように、電子ペーパー１００は、反射型表示素子８０を用いて白表示を行うことによって環境光を反射させ、反射光をカラーフィルタ１０に透過させることによって所望のカラー画像表示を行うことができる。ここで、反射型表示素子８０からの反射光は散乱層１４で散乱されてからカラーフィルタ１０を透過するため、紙に近い表示特性、及び、広い視野角の表示特性が得られる。
【００３２】
カラーフィルタ
次に図２も参照して、カラーフィルタ１０について詳細に説明する。図２は、カラーフィルタ１０を図１の矢印Ｉ方向から見た平面図である。なお説明の都合上、図２において、散乱層１４は省略されている。また、図１のカラーフィルタ１０の断面図は、図２のＡ−Ａ断面に対応する。
【００３３】
（透明基材）
透明基材１１としては、ＢＭ層１２、着色層１３及び散乱層１４を適切に支持することができ、かつ透明性を有する様々な材料が用いられ、例えばガラスやポリマーなどが用いられる。
【００３４】
（ＢＭ層）
ＢＭ層１２は、観察者側からの環境光および反射型表示素子８０からの反射光を遮蔽するよう構成されている。本実施形態では、ＢＭ層１２はマトリックス状のパターンを有している。
【００３５】
ＢＭ層１２によって画定される複数の領域は、それぞれ、第１着色エリア２０用の領域、第２着色エリア３０用の領域、第３着色エリア４０用の領域および白色エリア５０用の領域の何れかになっている。なお、ＢＭ層１２によって画定される各領域の具体的なパターンは特には限定されない。
【００３６】
ＢＭ層１２の材料としては、所望の遮光性を有するものであれば特に限定されない。例えば、カーボンブラック、チタンブラック等の黒色着色材を含有する樹脂組成物等が挙げられる。この樹脂組成物に用いられる樹脂としては、例えば、アクリレート系、メタクリレート系、ポリ桂皮酸ビニル系、もしくは環化ゴム系等の反応性ビニル基を有する感光性樹脂が使用される。
【００３７】
（着色層）
図２に示すように、着色層１３は、マトリクス状に配置された複数の単位画素１６を有する。各単位画素１６は、マトリクス状に配置された、第１着色エリア２０と、第２着色エリア３０と、第３着色エリア４０と、白色エリア５０と、を有する。以下では、第１着色エリア２０、第２着色エリア３０、及び、第３着色エリア４０を互いに区別する必要がない場合には、これらを着色エリア２０，３０，４０と称する。
【００３８】
着色エリア２０，３０，４０及び白色エリア５０は、ＢＭ層１２によって画定された領域、即ちＢＭ層１２間に設けられている。着色エリア２０，３０，４０及び白色エリア５０の厚さは、ほぼ等しい。
【００３９】
第１着色エリア２０、第２着色エリア３０、第３着色エリア４０、及び、白色エリア５０は、ｘ方向に、この順に繰り返し配置されている。このように繰り返し配置された着色エリア２０，３０，４０及び白色エリア５０の組は、ｙ方向に、複数組並んでいる。着色エリア２０，３０，４０及び白色エリア５０の配置順は、図示する例に限らない。
【００４０】
例えば、第１着色エリア２０は、赤色光を透過させる赤色着色層からなり、第２着色エリア３０は、緑色光を透過させる緑色着色層からなり、第３着色エリア４０は、青色光を透過させる青色着色層からなる。
【００４１】
白色エリア５０は、主に白色光を透過させる白色着色層からなる。より詳細には、白色エリア５０は、青色以外の可視光を波長域に依らず略均一に透過させると共に、青色の光は青色以外の可視光よりも強く透過させるように、青色顔料を含んでいる。
【００４２】
従って、白色エリア５０の可視光の透過率は、着色エリア２０，３０，４０の可視光の透過率より高い。白色エリア５０の可視光の透過率は、６０％以上であってもよい。
【００４３】
このような透過率が高い白色エリア５０を設けることにより、カラーフィルタ１０に着色エリア２０，３０，４０のみが設けられている場合に比べて、カラーフィルタ１０全体としての透過率を向上させることができる。これによって、電子ペーパー１００の輝度を増加させることができる。
【００４４】
着色エリア２０，３０，４０及び白色エリア５０のそれぞれは、感光性を有する着色エリア用材料を、露光工程および現像工程を含むフォトリソグラフィー法によりパターニングすることによって形成される層である。フォトリソグラフィー法によりパターニングされる着色エリア用材料としては、ネガ型およびポジ型のいずれの着色エリア用材料も使用され得る。着色エリア２０，３０，４０及び白色エリア５０を形成する順序は、任意の順序でよい。
【００４５】
〔着色エリア用材料〕
次に、各着色エリア２０，３０，４０及び白色エリア５０を構成する第１着色エリア用材料（以下、第１材料）、第２着色エリア用材料（以下、第２材料）、第３着色エリア用材料（以下、第３材料）及び白色エリア用材料（以下、第４材料）について説明する。各第１〜第４材料は、各色の顔料や染料および分散剤を含む顔料分散体、光開始剤、ポリマーやモノマーを含むクリア剤、および界面活性剤などを含んでいる。このうち光開始剤は、光を照射されることによりラジカル成分を発生するものである。またクリア剤には、光開始剤によって発生されたラジカルにより重合反応を起こして硬化する成分と、その後の現像により未露光部が溶解可能となる成分とが少なくとも含まれている。
【００４６】
第４材料は青色顔料を含んでいる。第４材料の青色顔料の含有量は、第３材料の青色顔料の含有量より少ない。これにより、前述した白色エリア５０の透過特性が得られる。
【００４７】
このように、各着色エリア２０，３０，４０及び白色エリア５０は、対応する色の光を透過させるよう構成されており、一方、ＢＭ層１２は、光を遮蔽するよう構成されている。
【００４８】
（散乱層）
図１に示すように、散乱層１４は、第１着色エリア２０と、第２着色エリア３０と、第３着色エリア４０と、白色エリア５０とに対応する平面位置に設けられている。具体的には、散乱層１４は、着色層１３の透明基材１１と反対側、即ち着色層１３の反射型表示素子８０側に設けられている。
【００４９】
散乱層１４の着色層１３とは反対側の表面は、ほぼ平坦に構成されている。これにより、散乱層１４の厚さは、着色エリア２０，３０，４０及び白色エリア５０に対応する位置においてほぼ均一になるため、色毎にほぼ均一な散乱特性を得ることが出来る。また、散乱層１４と反射型表示素子８０との接合の信頼性を向上できる。
【００５０】
散乱層１４の可視光の透過率は、３５％以上であることが好ましく、より好ましくは９０％以上である。散乱層１４のヘイズ値は、５〜６５程度であってもよい。
【００５１】
散乱層１４は、透明樹脂１７と、透明樹脂１７中に分散され、光散乱作用を発揮する散乱粒子１８と、を含む。
【００５２】
透明樹脂１７は、透明性を有するものであれば特に限定されず、散乱粒子１８との屈折率差等を考慮して適宜選択される。透明樹脂１７としては、例えば、アクリル系樹脂、エポキシ系樹脂等を挙げることができる。
【００５３】
散乱粒子１８の材料としては、光散乱作用を有するものであれば特に限定されない。例えば、酸化チタン、ジルコニア、二酸化珪素、酸化アルミニウム、硫酸バリウム等の無機物、アクリル系樹脂、ジビニルベンゼン系樹脂、ベンゾグアナミン系樹脂、スチレン系樹脂、メラミン系樹脂、アクリル−スチレン系樹脂、ポリカーボネート系樹脂、ポリエチレン系樹脂、ポリ塩化ビニル系樹脂等の有機物、又は、これらの２種以上の混合系等の微粒子を挙げることができる。
【００５４】
散乱粒子１８は、透明性を有していることが好ましい。これにより、散乱層１４の透過率を向上させることができるためである。このような散乱粒子１８としては、例えば、メラミン系樹脂、ベンゾグアナミン系樹脂等が用いられてもよい。
【００５５】
散乱粒子１８の平均粒径は、例えば、１００ｎｍ以上、６００ｎｍ以下の範囲内にある。散乱粒子１８の形状は、例えば、球状であってもよい。散乱粒子１８の屈折率は、透明樹脂１７の屈折率より大きくてもよい。散乱粒子１８の含有量は、光を散乱させることができ、散乱層１４の透明性を損なわない程度の量であれば、特に限定されない。
【００５６】
散乱層１４は、透明樹脂１７及び散乱粒子１８を含有する散乱層形成用塗工液を着色層１３上に塗布して、これを硬化させることにより形成できる。
【００５７】
ところで、散乱層１４では、主に透明樹脂１７の透過特性に起因して、青色の光の透過率が赤色及び緑色の光の透過率より小さい。従って、白色エリア５０が設けられていないと仮定した場合、電子ペーパー１００に表示された画像等は、全体的に黄味がかるようになる。
【００５８】
これに対して、本実施形態では、青色顔料を含む白色エリア５０が設けられているため、第３着色エリア４０を透過する青色の光に加え、白色エリア５０を透過する青色の光も観察者側に向かう。そのため、散乱層１４の青色の光の透過率の低さを補正して、電子ペーパー１００に表示される画像等の全体の色味を補正できる。つまり、画像等が黄味がかることを抑制できる。白色エリア５０の青色顔料の含有量は、散乱層１４の青色の光の透過率に応じて適宜設定すればよい。
【００５９】
このように、本実施形態によれば、反射型表示素子８０からの反射光が散乱層１４で散乱されることにより、紙に近い表示特性、及び、広い視野角の表示特性が得られる。その上、着色エリア２０，３０，４０より透過率が高い白色エリア５０が設けられているので、観察者側に取り出される光量が増加し、散乱による輝度の低下を抑制できる。
【００６０】
従って、表示特性を向上した上で輝度の低下を抑制できる。
【００６１】
（第２の実施形態）
第２の実施形態では、白色エリア５０が青色顔料を含んでいない点が、第１の実施形態と異なる。以下、第１の実施形態との相違点を中心に説明する。
【００６２】
本実施形態では、白色エリア５０が青色顔料を含んでいないため、第１の実施形態よりも白色エリア５０の透過率を上げることができる。従って、電子ペーパー１００を、第１の実施形態より高輝度にすることができる。
【００６３】
従って、特に、黄味がかる程度が小さい場合など、色味を補正しなくてもよい場合に有効である。
また、第１の実施形態の他の効果も得られる。
【００６４】
（第３の実施形態）
第３の実施形態は、散乱層の設けられた位置が第１の実施形態と異なる。以下、第１の実施形態との相違点を中心に説明する。
【００６５】
図３は、第３の実施形態に係るカラーフィルタ１０Ａの概略構成を示す縦断面図である。図３に示すように、本実施形態でも、散乱層１４Ａは、第１着色エリア２０Ａと、第２着色エリア３０Ａと、第３着色エリア４０Ａと、白色エリア５０Ａとに対応する平面位置に設けられている。具体的には、散乱層１４Ａは、着色層１３Ａと透明基材１１との間に設けられている。従って、着色層１３Ａと反射型表示素子８０（図示せず）とが対向する。
【００６６】
このように、本実施形態によれば、散乱層１４Ａが第１の実施形態よりも観察者側に近い位置に配置されているため、第１の実施形態とは異なる散乱特性を得ることができる。例えば、第１の実施形態よりも観察者に近い位置で反射光が散乱されるため、より紙に近い表示特性を得ることができる。
また、第１の実施形態の他の効果も得られる。
【００６７】
（第４の実施形態）
第４の実施形態は、白色エリア５０Ａに代えて空きエリア５５が設けられている点が第３の実施形態と異なる。以下、第３の実施形態との相違点を中心に説明する。
【００６８】
図４は、第４の実施形態に係るカラーフィルタ１０Ｂの概略構成を示す縦断面図である。図４に示すように、着色層１３Ｂの各単位画素は、着色エリア２０Ａ，３０Ａ，４０Ａと、空きエリア５５と、を有する。空きエリア５５は、空間となっている。散乱層１４Ａは、着色エリア２０Ａ，３０Ａ，４０Ａと空きエリア５５とに対応する平面位置に設けられている。つまり、カラーフィルタ１０Ｂは、第３の実施形態のカラーフィルタ１０Ａから白色エリア５０Ａを取り除いた構成を有している。空きエリア５５の可視光の透過率は、第３の実施形態の白色エリア５０Ａの透過率より高い。
【００６９】
本実施形態は、特に、黄味がかる程度が小さい場合など、色味を補正しなくてもよい場合に有効である。
【００７０】
このように、本実施形態によれば、白色エリア５０Ａよりも透過率が高い空きエリア５５が設けられているため、第３の実施形態よりもカラーフィルタ１０Ｂ全体としての透過率を上げることができる。従って、電子ペーパー１００を、より高輝度にすることができる。
【００７１】
また、カラーフィルタ１０Ｂを製造する際に、白色エリア５０Ａを形成する工程を削減できるため、安価に製造できる。
また、第３の実施形態の他の効果も得られる。
【００７２】
（第５の実施形態）
第５の実施形態は、白色エリア５０Ｃが散乱粒子５１を有する点が第１の実施形態と異なる。以下、第１の実施形態との相違点を中心に説明する。
【００７３】
図５は、第５の実施形態に係るカラーフィルタ１０Ｃの概略構成を示す縦断面図である。図５に示すように、白色エリア５０Ｃの厚さは、着色エリア２０，３０，４０の厚さよりも厚い。そして、第１着色エリア２０と、第２着色エリア３０と、第３着色エリア４０とに対応する平面位置に散乱層１４Ｃが設けられ、白色エリア５０Ｃに対応する部分には散乱層１４Ｃが設けられていない。散乱層１４Ｃの表面と、白色エリア５０Ｃの表面は、ほぼ面一になっている。
【００７４】
白色エリア５０Ｃは、第１の実施形態の白色エリア５０に、散乱粒子５１が分散されたものである。散乱粒子５１は、散乱粒子１８と同じものでもよい。白色エリア５０Ｃのヘイズ値が散乱層１４Ｃのヘイズ値と異なるように、散乱粒子５１の種類と含有量の少なくとも何れかは設定されている。
【００７５】
散乱層１４Ｃは、着色エリア２０，３０，４０及び白色エリア５０Ｃが形成された後、感光性を有する散乱層形成用塗工液を塗布して、露光工程および現像工程を含むフォトリソグラフィー法によりパターニングすることによって形成してもよい。これにより、白色エリア５０Ｃに対応する部分には、散乱層１４Ｃを形成しないようにできる。
【００７６】
このように、本実施形態によれば、白色エリア５０Ｃが散乱粒子５１を含むようにしているので、白色エリア５０Ｃのヘイズ値を、散乱層１４Ｃのヘイズ値と異なるようにできる。即ち、白色エリア５０Ｃの散乱特性と、散乱層１４Ｃの散乱特性とを異なるようにできる。従って、電子ペーパー１００の画像等の質感を調整することができる。
【００７７】
また、散乱層１４Ｃの表面と、白色エリア５０Ｃの表面は、ほぼ面一になっているため、カラーフィルタ１０Ｃと反射型表示素子８０（図示せず）との接合の信頼性を向上できる。
また、第１の実施形態の他の効果も得られる。
【００７８】
なお、白色エリア５０Ｃの厚さを着色エリア２０，３０，４０の厚さとほぼ等しくしてもよい。これにより、散乱層１４Ｃを形成する際に、塗布された散乱層形成用塗工液の表面がほぼ平坦になるため、散乱層１４Ｃの表面を透明基材１１の表面とほぼ平行にできる。一方、白色エリア５０Ｃの厚さが着色エリア２０，３０，４０の厚さより厚い場合では、散乱層１４Ｃを形成する際に、塗布された散乱層形成用塗工液の表面が白色エリア５０Ｃの部分で凸状に盛り上がる。そのため、散乱層１４Ｃの反射型表示素子８０側の表面は、白色エリア５０Ｃに隣り合う部分において、透明基材１１の表面と平行ではなく傾斜する可能性がある。つまり、散乱層１４Ｃは、着色エリア２０，３０，４０に対応する位置において均一な厚さにならない。これにより、位置に応じてヘイズ値が異なり、散乱にムラが生じる可能性がある。白色エリア５０Ｃの厚さを着色エリア２０，３０，４０の厚さとほぼ等しくした場合には、このような散乱のムラを抑制できる。
【００７９】
また、黄味がかる程度が小さい場合など、色味を補正しなくてもよい場合には、白色エリアは青色顔料を含んでいなくてもよい。
【００８０】
（第６の実施形態）
第６の実施形態は、白色エリア５０に代えて空きエリア５５が設けられ、空きエリア５５内に散乱層１４Ｄが形成されている点が第１の実施形態と異なる。以下、第１の実施形態との相違点を中心に説明する。
【００８１】
図６は、第６の実施形態に係るカラーフィルタ１０Ｄの概略構成を示す縦断面図である。図６に示すように、各単位画素は、第１着色エリア２０と、第２着色エリア３０と、第３着色エリア４０と、空きエリア５５と、を有する。
【００８２】
着色エリア２０，３０，４０と、空きエリア５５における透明基材１１と、を覆う散乱層１４Ｄが設けられている。つまり、反射型表示素子８０側から見て、散乱層１４Ｄは、空きエリア５５の部分において凹状になっている。
【００８３】
このように、本実施形態によれば、空きエリア５５を有しているので、第１の実施形態よりもカラーフィルタ１０Ｄ全体としての透過率を上げることができる。また、第１の実施形態よりも製造工程を削減できる。
また、第１の実施形態の他の効果も得られる。
【００８４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８５】
１０，１０Ａ，１０Ｂ，１０Ｃ，１０Ｄ  カラーフィルタ
１１  透明基材
１２  ブラックマトリクス層（ＢＭ層）
１３，１３Ａ，１３Ｂ，１３Ｃ，１３Ｄ  着色層
１４，１４Ａ，１４Ｃ，１４Ｄ  散乱層
１６  単位画素
１７  透明樹脂
１８  散乱粒子
２０，２０Ａ  第１着色エリア
３０，３０Ａ  第２着色エリア
４０，４０Ａ  第３着色エリア
５０，５０Ａ，５０Ｃ  白色エリア
５１  散乱粒子
５５  空きエリア
８０  反射型表示素子
１００  電子ペーパー
【図１】
2016118710.tif 000003
【図２】
2016118710.tif 000004
【図３】
2016118710.tif 000005
【図４】
2016118710.tif 000006
【図５】
2016118710.tif 000007
【図６】
2016118710.tif 000008